(57)【特許請求の範囲】
【請求項１】
遊技球が流下可能な遊技領域が遊技盤に形成されており、前記遊技盤には遊技の進行に応じて各種の絵柄や図柄を表示する表示部を有する役物装置が設けられている遊技機であって、
前記役物装置の左右方向中心よりも左右方向一方側に設けられている第１発光部材と、前記役物装置の左右方向中心よりも左右方向他方側に設けられている第２発光部材と、
一端が前記遊技盤における前記左右方向のいずれか一方に配置され、他端が前記第１発光部材に電気的に接続される第１配線と、一端が前記第１配線の一端と同じ前記左右方向のいずれか一方に配置され、他端が前記第２発光部材に電気的に接続される第２配線と、
前記役物装置の上部であって前記表示部の上方に位置するよう形成されており、前記遊技球が転動可能な転動路が形成された庇本体と、前記庇本体から延出する延出部とを有する庇部と、前記延出部の下方に形成されている底板部とを備え、
前記延出部及び前記底板部の間には所定の高さ方向の幅を有する空間が形成されており、少なくとも前記第２配線を収容し、前記第２配線を前記左右方向一方側から前記左右方向他方側に向けて収容配置させる配線収容部が前記空間に形成されていることを特徴とする遊技機。
【発明の詳細な説明】
【技術分野】
【０００１】
本発明は、遊技球が流下する遊技領域に役物装置を備えている遊技機に関する。
【背景技術】
【０００２】
パチンコ店において遊技者の遊技に供される遊技機の一つとして、遊技球を遊技媒体に用いるパチンコ機が従来から知られている。パチンコ機は、発射装置で弾発された遊技球が遊技領域を流下するように構成されており、この遊技球が遊技領域を流下する際に、該遊技領域に設置されている各種入賞口に入賞すると、その入賞の態様によって所定個数の遊技球（賞球ともいう）が払い出されたり、遊技の状態を遊技者に不利な通常遊技状態から遊技者に有利な特別遊技状態に変化させたりして、遊技を進行する。パチンコ機では、遊技の進行に当たっては、遊技者の興趣を向上させるための様々な演出が行われる。従来は、各種の発光装置を遊技盤に設けておいて、遊技の進行に応じて発光態様等を変化させる演出が主流であったが、近年は役物装置に液晶表示装置等の各種画像表示装置を設けておき、遊技の進行に応じた映像等を遊技者に見せることで遊技の興趣を向上させる演出を行うことが増えている。
【０００３】
また、近年のパチンコ機では、役物装置では、各種画像表示装置と併せて発光装置を設けておき、遊技の進行に応じて各種映像等を表示させると共に、発光装置の発光態様を変更させることで、より遊技者の興趣を向上させるようになっているものも存在する。例えば、下記に示す特許文献１に記載されている遊技機では、該遊技機の遊技領域に設置されている役物装置のほぼ中央に画像表示装置が配置され、そしてこの画像表示装置の周囲にはランプで発光装飾される装飾体が設けられている。
【先行技術文献】
【特許文献】
【０００４】
【特許文献１】特開２００４−１０５５１３号公報
【発明の概要】
【発明が解決しようとする課題】
【０００５】
特許文献１に記載されている遊技機のように、役物装置の周囲に発光装置等が配置されていると、各発光装置等と各種配線とを接続する必要が生じる。この場合、各種配線は、配線の取り回しの観点から、遊技機の裏面側において左右方向のいずれか一方からまとめて取り出されて各発光装置等と接続するのが一般的である。しかし、この場合には、役物装置に対して、左右方向において該役物装置と配線が取り出されている箇所とが対向する位置と反対側に設けられている発光装置等に配線を接続する場合には、配線の取り回しが煩雑となり、役物装置の取付時等に配線同士が絡まったり、又は断線したりすることがあった。そこで、特許文献１に記載されている遊技機では、役物装置の裏側に配線を保持する保持部を設け、役物装置と配線が取り出されている箇所とが対向する位置と反対側に設けられている発光装置等に接続する配線は、この保持部を通して断線等の発生を防止するように構成されている。しかしながら、このように保持部を設けて、配線を保持部で保持すると、保持部を形成した分だけ遊技機の裏面側のスペースを使用することになり、遊技機全体としてのスペース効率を低下させる要因の一つになるという問題があった。また、特許文献１に記載された遊技機では、保持部が役物装置の裏面から後方に向けて突出するように形成されているため、他の機器と干渉したり、ぶつかって破損するのみならず、配線が断線するおそれもあるという問題があった。
【０００６】
本発明は、上記した問題点に鑑みてなされたものであり、配線の取り回しのしやすさに加えて、遊技機全体としてのスペース効率を向上させることのできる遊技機を提供することを目的とする。
【課題を解決するための手段】
【０００７】
本発明は、遊技球が流下可能な遊技領域が遊技盤に形成されており、前記遊技盤には遊技の進行に応じて各種の絵柄や図柄を表示する表示部を有する役物装置が設けられている遊技機であって、前記役物装置の左右方向中心よりも左右方向一方側に設けられている第１発光部材と、前記役物装置の左右方向中心よりも左右方向他方側に設けられている第２発光部材と、一端が前記遊技盤における前記左右方向のいずれか一方に配置され、他端が前記第１発光部材に電気的に接続される第１配線と、一端が前記第１配線の一端と同じ前記左右方向のいずれか一方に配置され、他端が前記第２発光部材に電気的に接続される第２配線と、前記役物装置の上部であって前記表示部の上方に位置するよう形成されており、前記遊技球が転動可能な転動路が形成された庇本体と、前記庇本体から延出する延出部とを有する庇部と、前記延出部の下方に形成されている底板部とを備え、前記延出部及び前記底板部の間には所定の高さ方向の幅を有する空間が形成されており、少なくとも前記第２配線を収容し、前記第２配線を前記左右方向一方側から前記左右方向他方側に向けて収容配置させる配線収容部が前記空間に形成されていることを特徴とする遊技機を要旨とする。
【発明の効果】
【０００８】
本発明の遊技機は、役物装置が庇部を備え、庇部は遊技球が転動する転動路を有する庇本体と、この庇本体から延出する延出部とを有し、この延長部に各種配線を収容する配線収容部を形成している。したがって、本発明によれば、配線の取り回しのしやすさを向上させることができるとともに、役物装置の設置作業等において、配線を断線させたりすることも確実に防止することができる。また、本発明によれば、延長部に配線収容部を形成しているので、遊技機全体としてのスペース効率も向上させることが可能になる。
【図面の簡単な説明】
【０００９】
【図１】本発明の実施の形態に係る遊技機の正面図である。
【図２】遊技盤の正面図である。
【図３】センター役物を表面から見た斜視図である。
【図４】センター役物を裏面から見た斜視図である。
【図５】センター役物における配線収容部が形成されている部分を拡大した部分拡大図である。
【発明を実施するための形態】
【００１０】
本発明の遊技機に係る実施の形態について、図面を用いて具体的に説明する。なお、本明細書では、本発明に係る遊技機の例としてパチンコ遊技機（以下、単に遊技機と言う。）を用いて説明するが、本発明はパチンコ遊技機以外の遊技機にも使用することができる。また、本明細書においては、遊技機及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１１】
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて構成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１２】
遊技機１は、遊技盤１１に向けて遊技球を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９が配置されている。また、遊技機１の内部には、音声を出力するためのスピーカ１０が設けられている。
【００１３】
図２に示すように、遊技盤１１は、アクリルやポリカーボネート等の合成樹脂材料で略正方形状に形成された平板状の部材である。この遊技盤１１の背面側には、裏ユニット（図示せず）がビス等によって取付固定されている。遊技盤１１には、役物装置としてのセンター役物１２を取付固定するための開口部１４が略中央部に開口形成されている。また、遊技盤１１には、案内レール１５により遊技盤１１の上部に案内された遊技球が遊技盤１１の下部に向けて流下することが可能な遊技領域１６が形成されている。即ち、遊技盤１１には、遊技領域１６の外延部に案内レール１５が設けられるように構成されている。
【００１４】
遊技領域１６には、役物装置としてのセンター役物１２を視認可能にするとともに該センター役物１２を取り付けるための開口部１４が略中央部に開口形成されている。また、遊技領域１６には、遊技球が入賞すると所定個数の賞球を払い出す契機となる普通入賞装置１７、遊技球が入賞すると遊技者にとって不利な通常遊技状態から遊技者にとって有利な特別遊技状態に移行するか否かを抽選する契機となる始動入賞装置１８、特別遊技状態に移行している時にのみ開口し、遊技球が入賞する毎に所定個数の賞球を払い出す契機となる大入賞装置１９が設けられている。
【００１５】
センター役物１２は、遊技の進行に応じて所定の演出を行うためのものである。図３に示すように、センター役物１２は、各種の絵柄や図柄等を表示するための表示部２１と、この表示部２１の周囲に形成された装飾枠体２２と、遊技の進行に応じて遊技者の興趣を向上させるために装飾枠体２２に設けられた装飾部材としての第１装飾部材２３及び第２装飾部材２４と、センター役物１２に向けて流下してきた遊技球を転動させる転動路２５を備えている。
【００１６】
表示部２１は、本実施の形態では、２枚の導光板２６が前後方向に重なり合うように配置されている。これらの導光板２６は、該導光板２６の側面と対向する位置に発光部材が設けられており、この発光部材から照射される光が導光板２６の側面から入射するように形成されている。また、これらの導光板２６は、所定位置において所定の表示情報を表示するための表示領域２７を有しており、側面から光が入射すると、表示領域２７において表示情報が表示されるように構成されている。また、表示部２１は、導光板２６の後方に液晶表示装置等の各種表示装置が設けられている。本発明に係る遊技機１では、通常は各種表示装置において各種絵柄等を表示し、遊技の進行に応じて、導光板２６の表示領域２７に表示情報が表示されるようになっている。なお、図３では、説明の便宜上、２枚の導光板２６のうち、前側に配置された導光板２６のみを記載している。
【００１７】
装飾枠体２２は、センター役物１２の外周側に形成されている枠状の部材である。この装飾枠体２２は、内部に表示部２１が位置するように形成されている。また、この装飾枠体２２は、遊技機１における第１装飾部材２３及び第２装飾部材２４が前側に取付固定されている。装飾枠体２２において、第１装飾部材２３は、該装飾枠体２２の左側に設けられ、第２装飾部材２４は該装飾枠体２２の右側に設けられている。これら第１装飾部材２３及び第２装飾部材２４は、それぞれ同じ構成であってもよいし、別の構成であってもよい。また、これら第１装飾部材２３及び第２装飾部材２４は、透光性を有する材料で形成されることが好ましい。後述するように、第１装飾部材２３の後方には第１発光部材２８が配置され、第１装飾部材２３の後方から第１発光部材２８から光を照射され、第２装飾部材２４の後方には第２発光部材２９が配置され、第２発光部材２９から光を照射されて、遊技の進行に応じて、光を用いた各種の演出を行うことが可能になる。
【００１８】
また、装飾枠体２２には、第１発光部材２８及び第２発光部材２９が設けられている。第１発光部材２８は、センター役物１２において左右方向の中心よりも左側であって、第１装飾枠体２２の後方に位置するように設けられている。この第１発光部材２８は、第１装飾部材２３に対して後方側から光を照射すると共に、導光板２６に対しても該導光板２６の側面から光を入射させるように構成されている。また、第２発光部材２９は、センター役物１２の左右方向の中心よりも右側であって、第２装飾枠体２２の後方に位置するように設けられている。この第２発光部材２９は、第２装飾部材２４に対して後方側から光を照射すると共に、導光板２６に対しても該導光板２６の側面から光を入射させるように構成されている。なお、これら第１発光部材２８及び第２発光部材２９は、それぞれ同じ構成であってもよいし、別の構成であってもよい。本実施の形態では、第１発光部材２８及び第２発光部材２９は、いずれも基板部材に複数個のＬＥＤを配置して構成しているが、これ以外の構成であってもよい。
【００１９】
第１発光部材２８には、該第１発光部材２８に給電するための第１配線３０が電気的に接続されている。また、第２発光部材２９には、該第２発光部材２９に給電するための第２配線３１が電気的に接続されている。これら第１配線３０及び第２配線３１は、第１発光部材２８、第２発光部材２９に給電することができれば、従来から存在するものを任意に選択して用いてよい。本実施の形態では、第１配線３０は、遊技盤１１を正面視した時の左右方向左側に配置されている。即ち、第１配線３０は、遊技盤１１の左下から上方向に向けて延び、さらに装飾枠体２２に設けられている第１発光部材２８に電気的に接続されている。また、第２配線３１は、遊技盤１１の左側から第２発光部材２９まで延び、該第２発光部材２９と電気的に接続されている。なお、第１配線３０及び第２配線３１を配置する場所は、上記した位置には限定されない。
【００２０】
図３に示すように、装飾枠体２２の上側には庇部４１が形成されている。この庇部４１は、庇本体４２と延出部４３とを有しており、庇本体４２には遊技領域１６を流下してきた遊技球が転動可能な転動路２５が形成されている。延出部４３は、庇本体４２の後部において後方に向けて延出するように形成されている。この延出部４３は、装飾枠体２２において、庇本体４２が形成されている高さ位置よりも一段下がった低い位置に形成されている。また、この延出部４３は、後部から前部に向けて切り欠かれている切欠き部４４が数か所に形成されている。これら切欠き部４４は、後述する保持部４６の上端部との干渉を防止するためのものである。
【００２１】
また、延出部４３には、配線収容部４５が形成されている。配線収容部４５は、遊技において用いられる各種遊技装置を電気的に接続する各種配線を収容するためのものである。本実施の形態では、配線収容部４５は、第２配線３１を収容することができるように形成されている。即ち、本実施の形態では、第２配線３１が立ち上がっているのは遊技盤１１を正面視して左側であるのに対し、第２装飾部材２４が配置されているのは遊技盤１１を正面視して右側であるから、配線収容部４５に第２配線３１を収容することで、第２配線３１が他の機器や部材等に引っかかったり、それによって断線したりすることを確実に防止することができる。なお、本実施の形態では、第２配線３１のみを配線収容部４５に収容しているが、他の用途に用いる配線も第２配線３１と併せて収容してもよい。
【００２２】
延出部４３は、その下方に底板部４７が形成されており、これら延出部４３と底板部４７との間に所定の高さ方向の幅を有する空間４８が形成されている。この空間４８は、少なくとも遊技球が１個転動可能な高さ方向の幅を有するように形成されていることが好ましい。また、配線収容部４５は、この空間４８内、即ち庇部４１の後寄りの所定位置であって庇部４１の内部に形成されており、該配線収容部４５に収容された配線が脱落するのを防止するための保持部４６が形成されている。本実施の形態では、保持部４６の形状は庇本体４２の後部から後方に向けて延出し、その後上部に折れ曲がるように形成されて上方に向けて延出するＬ字形状に形成されているが、保持部４６の形状はこれに限定されるものではない。また、本実施の形態では、保持部４６は空間４８内３ヶ所設けられているが、保持部４６を設ける数もこれに限定されるものではない。また、底板部４７は、下面を所定の色で着色することが好ましい。底飯部を所定の色で着色することで、遊技者が配線収容部４５に配線が収容されていることを視認するのを防止でき、それによって遊技の興趣を低下させたり、所謂「ゴト行為」と呼ばれる不正行為が行われるのを予め防ぐことも可能になる。
【００２３】
次に、本発明の遊技機１の作用効果について説明する。本実施の形態に係る遊技機１は、センター役物１２において庇部４１に配線収容部４５を設けているので、各種配線を配線収容部４５に収容することができる。したがって、本実施の形態の遊技機１は、センター役物１２において各種配線を引き回す際には、配線収容部４５内を通すことができ、各種配線同士が絡まったり、遊技機１を構成する他の遊技機１器等と干渉して断線するといった不具合を確実に防止することができる。また、この配線収容部４５を所定の高さ方向の幅を有する空間４８内に形成すること、特にこの空間４８が少なくとも遊技球が１個転動可能な高さ方向の幅を有するので、多数の配線を一カ所に収納することができ、遊技機１のスペース効率を大きく向上させることも可能になる。
【００２４】
また、本実施の形態に係る遊技機１では、装飾枠体２２に形成された転動部の奥側に延出部４３を形成して配線収容部４５を形成している。したがって、本実施の形態に係る遊技機１では、延出部４３を形成することによって、装飾枠体２２の強度を大きく向上させることも可能になる。即ち、センター役物１２において装飾枠体２２の転動路２５は、遊技領域１６を流下してくる遊技球が衝突した後に転動を開始するように形成されているので、遊技球が衝突した際の衝撃に耐えられる程度の耐久性が要求されるところ、本実施の形態に係る遊技機１では、装飾枠体２２の後側に向けて延出部４３が延出形成されているので、この延出部４３によって装飾枠体２２全体の強度が補強されることになる。したがって、本実施の形態に係る遊技機１によれば、装飾枠体２２の強度を大きく向上し、耐久性も大きく向上させることも可能になる。
【００２５】
さらに、本実施の形態に係る遊技機１では、鍔部の後寄りの所定位置であって庇部４１の内部に配線収容部４５が形成されている。そのため、配線収容部４５に収容する各種配線を遊技者が遊技中に視認したり、「ゴト行為」を呼ばれる不正行為が行われるのをさらにより容易に防止することができる。また、配線収容部４５に保持部４６を形成することで、より一層配線収容部４５内に収容された各種配線を該配線収容部４５の外に飛び出るのを防止することができ、各種配線が遊技機器等と干渉したり、干渉して断線したりするのを防止することが可能になる。
【００２６】
以上、本発明に係る遊技機１について具体的に説明したが、本明細書に記載したのは一つの例であり、本発明はこれに限定されるものではない。したがって、本発明に係る遊技機は、本発明の趣旨を逸脱しない範囲において、任意に変更してもよい。
【符号の説明】
【００２７】
１  遊技機
１１  遊技盤
１２  センター役物
１６  遊技領域
２１  表示部
２２  装飾枠体
２３  第１装飾部材
２４  第２装飾部材
２５  転動路
２６  導光板
２７  表示領域
２８  第１発光部材
２９  第２発光部材
３０  第１配線
３１  第２配線
４１  庇部
４２  庇本体
４３  延出部
４５  配線収容部
４６  保持部
４７  底板部
４８  空間
【図１】
0006501477.tif 000002
【図２】
0006501477.tif 000003
【図３】
0006501477.tif 000004
【図４】
0006501477.tif 000005
【図５】
0006501477.tif 000006